(57)【特許請求の範囲】
【請求項１】
ネットワーク上で公開されている任意の閲覧情報を取得して表示手段に出力する閲覧手段が第１の閲覧情報を表示したことを検出すると、前記第１の閲覧情報を特定する特定情報を取得する取得手段と、
前記第１の閲覧情報に含まれる頻出文字列を抽出する抽出手段と、
前記第１の閲覧情報を特定する特定情報と、前記第１の閲覧情報に含まれる頻出文字列と、を含む、前記第１の閲覧情報についての経路情報を記憶手段に記憶する記憶処理手段と、
前記閲覧手段が出力している第２の閲覧情報をお気に入り情報として登録する場合、前記第２の閲覧情報を特定する特定情報に、１または２以上の前記経路情報を関連付けて追加する登録手段と、
前記お気に入り情報の経路情報に含まれる頻出文字列毎に、該頻出文字列を含む経路情報を含むお気に入り情報の一覧表示を選択する第１の選択手段を表示する第１の表示情報を前記表示手段に出力する第１の出力手段と、
前記第１の選択手段が選択されると、該選択された第１の選択手段に対応する頻出文字列を含む経路情報を含むお気に入り情報を一覧表示する第２の表示情報を前記表示手段に出力する第２の出力手段と、
を備える情報管理装置。
【請求項２】
前記第２の表示情報に含まれる任意のお気に入り情報が選択されたことを検出すると、該選択されたお気に入り情報に含まれる経路情報に含まれる頻出文字列を検索キーワードとする検索実行を選択する第２の選択手段を表示する第３の表示情報を前記表示手段に出力する第３の出力手段、
をさらに備えることを特徴とする請求項１に記載の情報管理装置。
【請求項３】
前記第３の表示情報は、前記選択されたお気に入り情報に含まれる経路情報毎に該経路情報の詳細情報の表示を選択する第３の選択手段をさらに含み、
前記第３の選択手段が選択されると、該選択された第３の選択手段に対応する経路情報に含まれる頻出文字列を検索キーワードとする検索実行を選択する第４の選択手段を表示する第４の表示情報を前記表示手段に出力する第４の出力手段、
をさらに備えることを特徴とする請求項２に記載の情報管理装置。
【請求項４】
前記第２の選択手段が選択されると、前記第３の表示情報に含まれる頻出文字列を検索キーワードとして編集可能に表示する第５の表示情報を前記表示手段に出力する第５の出力手段、
をさらに備え、
検索実行の指示を受けると、前記第５の表示情報に含まれる頻出文字列または編集後の頻出文字列を検索キーワードとする検索を行なう、
ことを特徴とする請求項２に記載の情報管理装置。
【請求項５】
前記第４の選択手段が選択されると、前記第４の表示情報に含まれる頻出文字列を検索キーワードとして編集可能に表示する第５の表示情報を前記表示手段に出力する第５の出力手段、
をさらに備え、
検索実行の指示を受けると、前記第５の表示情報に含まれる頻出文字列または編集後の頻出文字列を検索キーワードとする検索を行なう、
ことを特徴とする請求項３に記載の情報管理装置。
【請求項６】
ネットワーク上で公開されている任意の閲覧情報を取得して表示手段に出力する閲覧手段が第１の閲覧情報を表示したことを検出すると、前記第１の閲覧情報を特定する特定情報を取得し、
前記第１の閲覧情報に含まれる頻出文字列を抽出し、
前記第１の閲覧情報を特定する特定情報と、前記第１の閲覧情報に含まれる頻出文字列と、を含む、前記第１の閲覧情報についての経路情報を記憶手段に記憶し、
前記閲覧手段が出力している第２の閲覧情報をお気に入り情報として登録する場合、前記第２の閲覧情報を特定する特定情報に、１または２以上の前記経路情報を関連付けて追加し、
前記お気に入り情報の経路情報に含まれる頻出文字列毎に、該頻出文字列を含む経路情報を含むお気に入り情報の一覧表示を選択する第１の選択手段を表示する第１の表示情報を前記表示手段に出力し、
前記第１の選択手段が選択されると、該選択された第１の選択手段に対応する頻出文字列を含む経路情報を含むお気に入り情報を一覧表示する第２の表示情報を前記表示手段に出力する、
処理を情報処理装置に行なわせる情報管理方法。
【請求項７】
ネットワーク上で公開されている任意の閲覧情報を取得して表示手段に出力する閲覧手段が第１の閲覧情報を表示したことを検出すると、前記第１の閲覧情報を特定する特定情報を取得し、
前記第１の閲覧情報に含まれる頻出文字列を抽出し、
前記第１の閲覧情報を特定する特定情報と、前記第１の閲覧情報に含まれる頻出文字列と、を含む、前記第１の閲覧情報についての経路情報を記憶手段に記憶し、
前記閲覧手段が出力している第２の閲覧情報をお気に入り情報として登録する場合、前記第２の閲覧情報を特定する特定情報に、１または２以上の前記経路情報を関連付けて追加し、
前記お気に入り情報の経路情報に含まれる頻出文字列毎に、該頻出文字列を含む経路情報を含むお気に入り情報の一覧表示を選択する第１の選択手段を表示する第１の表示情報を前記表示手段に出力し、
前記第１の選択手段が選択されると、該選択された第１の選択手段に対応する頻出文字列を含む経路情報を含むお気に入り情報を一覧表示する第２の表示情報を前記表示手段に出力する、
処理を情報処理装置に行なわせる情報管理用プログラム。
【発明の詳細な説明】
【技術分野】
【０００１】
本発明は、ブラウザなどで使用する情報を管理する情報管理装置、情報管理方法、および情報管理用プログラムに関する。
【背景技術】
【０００２】
従来、ＷＥＢブラウザには、ユーザが気に入ったＷＥＢページをお気に入り情報として登録する機能がある。お気に入り情報には、ＷＥＢページのタイトルやＵＲＬ（Ｕｎｉｆｏｒｍ  Ｒｅｓｏｕｒｃｅ  Ｌｏｃａｔｏｒ）などが含まれる。これにより、ユーザは、後日、必要な時にお気に入り情報に登録したＷＥＢページを閲覧することができる。
【０００３】
上記技術に関連して、画像データの属性に応じて関連情報を検索する情報検索装置が知られている。
また、インターネット上の情報を検索して必要な情報を取得し、検索の履歴を示す検索履歴情報を生成する情報取得装置と、取得した必要な情報と検索履歴情報を対応付けて共有可能に管理する情報共有管理装置と、を備える情報検索ノウハウ管理システムが知られている。
【先行技術文献】
【特許文献】
【０００４】
【特許文献１】特開２００６−２８５５２６号公報
【特許文献２】特開２００７−１２８３６７号公報
【発明の概要】
【発明が解決しようとする課題】
【０００５】
ＷＥＢブラウザを長く使用するにしたがって、お気に入り情報の登録数も増加する。この場合、お気に入り情報を整理しなければ、所望のお気に入り情報を見つけるのに時間がかかるようになる。その結果、お気に入り情報は、使い難いものになってしまうという問題がある。また、お気に入り情報が増えると、お気に入り情報の整理にも手間がかかってしまう。また、古いお気に入り情報は、リンク切れになっていたり情報が古いものになっていたりする場合がある。この場合、古いお気に入り情報と同じような内容について再度検索しなければならない。
【０００６】
本情報管理装置は、１つの側面では、所望の情報を容易に得ることができる情報管理装置、情報管理方法、および情報管理用プログラムを提供することを目的とする。
【課題を解決するための手段】
【０００７】
本情報管理装置の１つの観点によれば、本情報管理装置は、以下の構成要素を備える。
取得手段は、ネットワーク上で公開されている任意の閲覧情報を取得して表示手段に出力する閲覧手段が第１の閲覧情報を表示したことを検出すると、前記第１の閲覧情報を特定する特定情報を取得する。
【０００８】
抽出手段は、前記第１の閲覧情報に含まれる頻出文字列を抽出する。
記憶処理手段は、前記第１の閲覧情報を特定する特定情報と、前記第１の閲覧情報に含まれる頻出文字列と、を含む、前記第１の閲覧情報についての経路情報を記憶手段に記憶する。
【０００９】
登録手段は、前記閲覧手段が出力している第２の閲覧情報をお気に入り情報として登録する場合、前記第２の閲覧情報を特定する特定情報に、１または２以上の前記経路情報を関連付けて追加する。
【００１０】
第１の出力手段は、前記お気に入り情報の経路情報に含まれる頻出文字列毎に、該頻出文字列を含む経路情報を含むお気に入り情報の一覧表示を選択する第１の選択手段を表示する第１の表示情報を前記表示手段に出力する。
【００１１】
第２の出力手段は、前記第１の選択手段が選択されると、該選択された第１の選択手段に対応する頻出文字列を含む経路情報を含むお気に入り情報を一覧表示する第２の表示情報を前記表示手段に出力する。
【発明の効果】
【００１２】
本情報管理装置は、１つの態様では、所望の情報を容易に得ることができる情報管理装置、情報管理方法、および情報管理用プログラムを提供することができる。
【図面の簡単な説明】
【００１３】
【図１】一実施例に係る情報管理装置１００の概要を説明する図である。
【図２】その他の実施例に係る情報管理装置２１０の概要を説明する図である。
【図３】お気に入り情報３００の例を示す図である。
【図４】ブラウザ監視部２１１の処理の概要を説明する図である。
【図５】お気に入り管理部２１２の処理の概要を説明する図である。
【図６】ブラウザ監視部２１１の動作を示すフローチャートである。
【図７】お気に入り管理部２１２の動作を示すフローチャートである。
【図８】お気に入り管理部２１２の動作を示すフローチャートである。
【図９】情報管理装置２１０の構成例を示す図である。
【発明を実施するための形態】
【００１４】
以下、本発明の実施形態の一例について、図１〜図９に基づいて説明する。なお、以下に説明する実施形態はあくまでも例示であり、以下に明示しない種々の変形や技術の適用を排除する意図ではない。すなわち、本実施形態は、その趣旨を逸脱しない範囲で、各実施例を組み合わせるなど種々変形して実施することができる。また、図６−図８にフローチャートの形式で示した処理手順は、処理の順番を限定する趣旨ではない。したがって、可能な場合には、処理の順番を入れ替えても良いのは当然である。
【００１５】
≪実施例≫
図１は、一実施例に係る情報管理装置１００の概要を説明する図である。
情報管理装置１００は、取得手段１１０と、抽出手段１２０と、記憶処理手段１３０と、登録手段１４０と、第１の出力手段１５０と、第２の出力手段１６０と、を備える情報処理装置である。取得手段１１０、抽出手段１２０、記憶処理手段１３０、登録手段１４０、第１の出力手段１５０、および第２の出力手段１６０は、情報管理装置１００に所定のプログラムを実行させることによって実現することができる。
【００１６】
取得手段１１０は、閲覧手段１７０が第１の閲覧情報を表示したことを検出すると、第１の閲覧情報を特定する特定情報を取得する。閲覧手段１７０は、インターネットなどのネットワーク上で公開されている任意の閲覧情報を取得して表示手段１８０に出力して表示する。閲覧手段１７０には、例えば、ＷＥＢページ閲覧用のブラウザなどを使用することができる。閲覧手段１７０は、情報管理装置１００上で動作、または、情報管理装置１００とネットワークを介して接続する他の情報処理装置（不図示）上で動作することができる。
【００１７】
抽出手段１２０は、第１の閲覧情報に含まれる頻出文字列を抽出する。頻出文字列とは、閲覧情報に含まれる文字列のうち、頻出の文字列のことをいう。抽出手段１２０は、閲覧情報に含まれる文字列のうち一定数以上出現する文字列を抽出することができる。また、抽出する文字列を特定の文字列に限定することもできる。
【００１８】
記憶処理手段１３０は、第１の閲覧情報を特定する特定情報と、第１の閲覧情報に含まれる頻出文字列と、を含む、第１の閲覧情報についての経路情報を記憶手段１９０に記憶する。閲覧情報を特定する情報には、閲覧情報が所在する位置情報、例えば、ＵＲＬや閲覧情報のタイトルなどを含むことができる。また、記憶手段１９０には、例えば、磁気ディスク装置などの記憶装置の他、ＲＡＭ（Ｒａｎｄｏｍ  Ａｃｃｅｓｓ  Ｍｅｍｏｒｙ）などの揮発性メモリやＥＥＰＥＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの不揮発性メモリなども使用することができる。また、記憶手段１９０は、インターネットなどのネットワークを介して接続する記憶装置、いわゆる、クラウド上のオンラインストレージなどを使用することもできる。
【００１９】
登録手段１４０は、閲覧手段１７０が出力している第２の閲覧情報をお気に入り情報として登録する場合、第２の閲覧情報を特定する特定情報に、１または２以上の経路情報を関連付けて追加する。
【００２０】
第１の出力手段１５０は、お気に入り情報の経路情報に含まれる頻出文字列毎に、その頻出文字列を含む経路情報を含むお気に入り情報の一覧表示を選択する第１の選択手段を表示する第１の表示情報を表示手段１８０に出力して表示する。第１の表示情報を表示手段１８０に表示した場合、利用者は、情報管理装置１００などが提供するマウスなどの入力手段を使用して、所望の第１の選択手段を選択することができる。
【００２１】
第２の出力手段１６０は、任意の第１の選択手段が選択されると、選択された第１の選択手段に対応する頻出文字列を含む経路情報を含むお気に入り情報を一覧表示する第２の表示情報を表示手段１８０に出力して表示する。
【００２２】
なお、第１の出力手段１５０は、図１の矢印で示すように、第１の表示情報を表示手段１８０に直接出力して表示させてもよいが、これに限定する趣旨ではない。例えば、第１の出力手段１５０は、第１の表示情報を閲覧手段１７０に出力することにより、閲覧手段１７０から表示手段１８０に第１の表示情報を表示させるようにしてもよい。同様に、第２の出力手段１６０は、図１の矢印で示すように、第２の表示情報を表示手段１８０に直接出力して表示させてもよいが、これに限定する趣旨ではない。例えば、第２の出力手段１６０は、第２の表示情報を閲覧手段１７０に出力することにより、閲覧手段１７０から表示手段１８０に第２の表示情報を表示させるようにしてもよい。また、表示手段１８０は、情報管理装置１００と直接接続してもよいが、インターネット等のネットワークを介して情報管理装置１００と通信可能に接続してもよい。
【００２３】
以上に説明したように、情報管理装置１００は、お気に入り情報の経路情報に含まれる頻出文字列毎に、その頻出文字列を含む経路情報を含むお気に入り情報の一覧表示を選択する第１の選択手段を表示する第１の表示情報を表示手段１８０に出力して表示する。そして、情報管理装置１００は、任意の第１の選択手段が選択されると、選択された第１の選択手段に対応する頻出文字列を含む経路情報を含むお気に入り情報を一覧表示する第２の表示情報を表示手段１８０に出力して表示する。
【００２４】
ここで、閲覧情報に含まれる頻出文字列は、その閲覧情報の概要や特徴などを表わす。したがって、利用者は、所望のお気に入り情報に登録した閲覧情報を表わすと思われる頻出文字列に対応する第１の選択手段を選択することにより、お気に入り情報が増加しても、所望のお気に入り情報を容易に得ることが可能となる。
【００２５】
≪その他の実施例≫
図２は、その他の実施例に係る情報管理装置２１０の概要を説明する図である。
情報管理装置２１０は、ブラウザ監視部２１１と、お気に入り管理部２１２と、一時記憶部２１３と、お気に入り記憶部２１４と、を備える。情報管理装置２１０は、ブラウザ２２０が取り扱う情報を管理する。
【００２６】
なお、ブラウザ２２０は、インターネット２３０を介して接続する情報処理装置が公開するＷＥＢページをＨＴＴＰ（ＨｙｐｅｒＴｅｘｔ  Ｔｒａｎｓｆｅｒ  Ｐｒｏｔｏｃｏｌ）などのプロトコルを用いて取得し、取得したＷＥＢページを表示装置２４０に出力して表示する、ＷＥＢページ閲覧用のソフトウェアである。ブラウザ２２０には、キーワードと一致する文字列が含まれるＷＥＢページを検索する検索エンジンを含むことができる。また、ブラウザ２２０は、情報管理装置２１０上で動作してもよいし、情報管理装置２１０とインターネット２３０などのネットワークを介して接続する他の情報処理装置（不図示）上で動作してもよい。また、ブラウザ２２０や情報管理装置２１０が出力するデータなどは、情報管理装置２１０と接続する表示装置２４０に表示してもよいし、例えば、情報管理装置２１０とインターネット２３０などのネットワークを介して接続する他の表示装置（不図示）に表示してもよい。
【００２７】
ブラウザ監視部２１１は、ブラウザ２２０の動作を監視する。例えば、ブラウザ監視部２１１は、ブラウザ２２０から、ブラウザ２２０が表示装置２４０に出力して表示するＷＥＢページのＵＲＬを定期的に取得する。そして、ブラウザ２２０が表示装置２４０に出力して表示するＷＥＢページのＵＲＬが変わったことを検出すると、ブラウザ監視部２１１は、ブラウザ２２０が表示装置２４０に出力して表示するＷＥＢページの表示内容が更新されたと判別する。この場合、ブラウザ監視部２１１は、更新されたＷＥＢページの表示内容を、ブラウザ２２０から取得する。そして、ブラウザ監視部２１１は、更新されたＷＥＢページのＵＲＬやタイトル、ＷＥＢページに含まれるリンク情報などを経由ページ情報として一時記憶部２１３に記憶する。さらに、ブラウザ監視部２１１は、更新されたＷＥＢページの表示内容に含まれる文字列から頻出単語を抽出して経由ページ情報に追加する。
【００２８】
また、ブラウザ監視部２１１は、例えば、ブラウザ２２０に備わるお気に入り登録ボタンが押下されたことを検出する。このお気に入り登録ボタンが押下されると、ブラウザ２２０は、ブラウザ２２０が表示しているＷＥＢページ、すなわち、ブラウザ２２０が表示装置２４０に現在出力して表示しているＷＥＢページをお気に入り情報としてお気に入り記憶部２１４に記憶する。ブラウザ監視部２１１は、お気に入り登録ボタンの押下を検出すると、一時記憶部２１３に記憶していた経由ページ情報を含む検索ルート情報を、お気に入り情報と関連付けて追加する。なお、本実施例で「ボタン」を押下するとは、利用者が、表示装置２４０に表示された「ボタン」を入力装置９０３、例えば、マウスなどを用いて選択することをいう。
【００２９】
お気に入り管理部２１２は、お気に入り記憶部２１４に記憶されたお気に入り情報を管理するためのインタフェースを利用者に提供する。例えば、お気に入り管理部２１２は、必要に応じて、お気に入り記憶部２１４に記憶されているお気に入り情報の内容を様々な形態で表示装置２４０に表示する。お気に入り管理部２１２が表示装置２４０に出力して表示する表示画面については、図５で例示する。
【００３０】
図２で説明したブラウザ監視部２１１およびお気に入り管理部２１２は、例えば、図９で後述するＣＰＵ９０１に、所定のプログラムを実行させることによって実現することができる。例えば、マイクロソフト  コーポレイションが提供するインターネットエクスプローラ（登録商標）をブラウザ２２０に使用する場合、ブラウザ監視部２１１やお気に入り管理部２１２には、ＷｅｂＢｒｏｗｓｅコントロールなどを利用することができる。ＷｅｂＢｒｏｗｓｅコントロールは、マイクロソフト  コーポレイションが提供する．ＮＥＴ  Ｆｒａｍｅｗｏｒｋ  ２．０の標準コントロールである。
【００３１】
例えば、ブラウザ２２０から、ブラウザ２２０が表示するＷＥＢページの内容、例えば、ＵＲＬやタイトル、リンク情報などを取得する機能をブラウザ監視部２１１に実装する場合、ＷｅｂＢｒｏｗｓｅコントロールを利用可能なプログラム言語を使用することができる。同様に、ブラウザ２２０に所望の表示画面を表示させる機能などをお気に入り管理部２１２に実装する場合、ＷｅｂＢｒｏｗｓｅコントロールを利用可能なプログラム言語を使用することができる。ただし、ＷｅｂＢｒｏｗｓｅコントロールを利用可能なプログラム言語については、公知の技術を使用することができるので、詳細な説明は省略する。
【００３２】
図２で説明した一時記憶部２１３やお気に入り記憶部２１４には、例えば、図９で後述するメモリ９０２や外部記憶装置９０５などを使用することができる。なお、図２には、一時記憶部２１３とお気に入り記憶部２１４とを別々の記憶部として記載したが、一時記憶部２１３とお気に入り記憶部２１４は１つの記憶部であってもよいのは当然である。
【００３３】
図３は、お気に入り記憶部２１４に記憶されるお気に入り情報３００の例を示す図である。
お気に入り情報３００は、お気に入り情報として記憶したＷＥＢページのタイトルおよびＵＲＬを含む。また、お気に入り情報３００は、お気に入り情報として記憶したＷＥＢページまでに経由したＷＥＢページである経由ページの情報について情報、すなわち、経由ページ情報を含むことができる。なお、頻出単語は、経由ページに含まれる文字列のうち１または２以上の特定の品詞の文字列なかで頻出のものとすることができる。
【００３４】
経由ページ情報には、経由ページのタイトル、ＵＲＬ、経由ページに含まれる頻出単語、および経由ページに含まれるリンク情報などを含むことができる。例えば、図３には、経由ページ１の経由ページ情報として、タイトル「ＢＢＢ」、ＵＲＬ「ｈｔｔｐ：／／ｂｂｂ」、頻出単語「あいう」、およびリング情報「ｈｔｔｐ：／／ｄｄｄ，ｈｔｔｐ：／／ｅｅｅ」が含まれている場合が例示されている。図３の例では、頻出単語が１つだけ表示されているが、頻出単語の数を１つに限定する趣旨ではない。経由ページに含まれる文字列から複数の頻出単語を抽出してもよい。
【００３５】
図４は、ブラウザ監視部２１１の処理の概要を説明する図である。
ブラウザ監視部２１１は、ブラウザ２２０の動作を監視する（ステップＳ４１０ｂ）。
ブラウザ２２０がＷＥＢページ４１０を表示装置２４０に出力して表示したことを検出すると（ステップＳ４１０ａ）、ブラウザ監視部２１１は、ＷＥＢページ４１０に含まれる情報を、経由ページ情報として一時記憶部２１３に記憶する（ステップＳ４２０ｂ）。この経由ページ情報には、ＷＥＢページ４１０のタイトル「ＢＢＢ」、ＵＲＬ「ｈｔｔｐ：／／ｂｂｂ」、ＷＥＢページ４１０に含まれる頻出単語「あいう」、およびＷＥＢページ４１０に含まれるリンク情報「ｈｔｔｐ：／／ｄｄｄ，ｈｔｔｐ：／／ｅｅｅ」を含むことができる。
【００３６】
また、利用者の操作に応じてブラウザ２２０がリンク先（ｈｔｔｐ：／／ｄｄｄ）のＷＥＢページ４２０を開くと（ステップＳ４２０ａ）、ブラウザ監視部２１１は、ブラウザ２２０が表示装置２４０に出力して表示するＷＥＢページの内容が更新されたことを検出する。そして、ブラウザ監視部２１１は、ＷＥＢページ４２０に含まれる情報を、経由ページ情報として一時記憶部２１３に記憶する（ステップＳ４３０ｂ）。この経由ページ情報には、ＷＥＢページ４２０のタイトル「ＤＤＤ」、ＵＲＬ「ｈｔｔｐ：／／ｄｄｄ」、ＷＥＢページ４１０に含まれる頻出単語「あいう」、およびＷＥＢページ４２０に含まれるリンク情報「ｈｔｔｐ：／／ｅｅｅ，ｈｔｔｐ：／／ｆｆｆ」を含むことができる。
【００３７】
このように、ブラウザ監視部２１１は、ブラウザ２２０が表示装置２４０に出力して表示するＷＥＢページの内容が更新される毎に、更新後のＷＥＢページに含まれる情報を経由ページ情報として一時記憶部２１３に記憶する。
【００３８】
また、利用者の操作に応じてブラウザ２２０は、表示中のＷＥＢページ４３０をお気に入り情報としてお気に入り記憶部２１４に記憶する（ステップＳ４３０ａ）。この場合、ブラウザ監視部２１１は、お気に入り登録ボタンの押下を検出し、お気に入り情報に、既に一時記憶部２１３に記憶してある経由ページ情報を関連付けて追加する（ステップＳ４４０ｂ）。
【００３９】
図５は、お気に入り管理部２１２が表示装置２４０に出力して表示する表示画面の概要を説明する図である。
お気に入り管理部２１２は、利用者からの所定の操作に応じて、選択画面５１０を表示する（ステップＳ５０１）。
【００４０】
選択画面５１０は、一覧表示ボタン５１１と、頻出単語ボタン５１２と、を含むことができる。一覧表示ボタン５１１は、お気に入り記憶部２１４に記憶されたお気に入り情報全てを一覧表示するボタンである。また、頻出単語ボタン５１２は、お気に入り記憶部２１４に記憶されたお気に入り情報のうち、特定の頻出単語を含むお気に入り情報だけを一覧表示するボタンである。図５には、頻出単語「あいう」、「ＢＢＢ」、「ＤＤＤ」および「かきく」それぞれに対応する頻出単語ボタン５１２が選択画面５１０に表示されている場合を例示している。
【００４１】
一覧ボタン５１１の押下を検出すると、お気に入り管理部２１２は、お気に入り記憶部２１４からお気に入り情報を取得する。そして、お気に入り管理部２１２は、お気に入り記憶部２１４から取得したお気に入り情報についての一覧画面５２０を表示する（ステップＳ５０２）。
【００４２】
一覧画面５２０は、お気に入り情報毎に、お気に入り情報として記憶したＷＥＢページのタイトルおよびＵＲＬと、お気に入り情報の各経由ページ情報に含まれる頻出単語と、を含むことができる。また、一覧画面５２０には、内容表示ボタン５２１が含まれる。
【００４３】
任意の頻出単語ボタン５１２の押下を検出すると、お気に入り管理部２１２は、お気に入り記憶部２１４に記憶されているお気に入り情報から、頻出単語ボタン５１２に対応する頻出単語を含むお気に入り情報を抽出する。そして、お気に入り管理部２１２は、抽出したお気に入り情報についての一覧画面５３０を表示する（ステップＳ５０３）。一覧画面５３０の構成は、一覧画面５２０の構成と同様である。
【００４４】
図５に示した一覧画面５３０は、選択画面５１０に表示された、頻出単語「ＢＢＢ」に対応する頻出単語ボタン５１２が押下された場合の一覧画面を例示している。なお、一覧画面５３０には、お気に入り情報が１つだけ表示されているが、一覧画面５３０に表示するお気に入り情報の数を限定する趣旨ではない。
【００４５】
一覧画面５２０に表示されている任意のお気に入り情報が選択されて内容表示ボタン５２１が押下されたことを検出すると、お気に入り管理部２１２は、選択されたお気に入り情報についてのお気に入り情報画面５４０を表示する（ステップＳ５０４）。
【００４６】
お気に入り情報画面５４０は、選択されたお気に入り情報のタイトルおよびＵＲＬを含むことができる。さらに、お気に入り情報画面５４０は、選択されたお気に入り情報に含まれる経由ページ情報に含まれるＵＲＬと、その経由ページ情報の詳細を表示する詳細表示ボタン５４１と、選択されたお気に入り情報に含まれる頻出単語と、再検索ボタン５４２と、を含むことができる。再検索ボタン５４２は、お気に入り情報画面５４０に表示している頻出単語を検索キーワードとするＷＥＢ検索を実行する検索画面５７０を表示するボタンである。
【００４７】
なお、お気に入り情報画面５４０に表示する、経由ページ情報に含まれるＵＲＬ、例えば、図５に例示したお気に入り情報画面５４０の「ｈｔｔｐ：／／ｂｂｂ」などは、ＨＴＭＬ（ＨｙｐｅｒＴｅｘｔ  Ｍａｒｋｕｐ  Ｌａｎｇｕａｇｅ）などを利用してリンク情報として表示することができる。これにより、利用者は、経由ページ情報のＵＲＬをマウス等で選択すれば、経由ページを容易に参照することができる。
【００４８】
図５に示したお気に入り情報画面５４０は、一覧画面５２０で選択された、タイトルが「ＦＦＦ」かつＵＲＬが「ｈｔｔｐ：／／ｆｆｆ」のお気に入り情報の内容を表示するお気に入り情報画面を例示している。図５に例示したお気に入り情報画面５４０には、経由ページ情報として、ＵＲＬが「ｈｔｔｐ：／／ｂｂｂ」の経由ページ１とＵＲＬが「ｈｔｔｐ：／／ｄｄｄ」の経由ページ２が表示されている。経由ページ１のＵＲＬ「ｈｔｔｐ：／／ｂｂｂ」に並んで表示されている詳細表示ボタン５４１は、経由ページ１の経由ページ情報の詳細を表示する詳細表示ボタンである。同様に、経由ページ２のＵＲＬ「ｈｔｔｐ：／／ｄｄｄ」に並んで表示されている詳細表示ボタン５４１は、経由ページ２の経由ページ情報の詳細を表示する詳細表示ボタンである。また、頻出単語「あいう」、「ＢＢＢ」および「ＤＤＤ」に並んで表示されている再検索ボタン５４２は、頻出単語「あいう」、「ＢＢＢ」および「ＤＤＤ」を検索キーワードとする検索を実行する検索画面５７０を表示するボタンである。
【００４９】
お気に入り情報画面５４０に表示されている詳細表示ボタン５４１が押下されたことを検出すると、お気に入り管理部２１２は、詳細表示ボタン５４１に対応する経由ページ情報の詳細を表示する経由ページ画面５５０を表示する（ステップＳ５０５）。
【００５０】
経由ページ画面５５０は、経由ページ情報に含まれるタイトルおよびＵＲＬを含むことができる。また、経由ページ画面５５０は、経由ページ情報に含まれるリンク情報と、経由ページ情報に含まれる頻出単語と、再検索ボタン５５１と、を含むことができる。再検索ボタン５５１は、経由ページ画面５５０に表示している頻出単語を検索キーワードとするＷＥＢ検索を実行する検索画面５６０を表示するボタンである。
【００５１】
なお、経由ページ画面５５０に表示する、経由ページ情報に含まれるリンク情報、例えば、図５に例示した経由ページ画面５５０の「ｈｔｔｐ：／／ｄｄｄ」や「ｈｔｔｐ：／／ｅｅｅ」は、ＨＴＭＬなどを利用して表示することができる。これにより、利用者は、リンク情報をマウス等で選択すれば、リンク情報で指定されるＷＥＢページを容易に参照することができる。
【００５２】
経由ページ画面５５０に表示されている再検索ボタン５５１が押下されると、お気に入り管理部２１２は、検索キーワード５６１と、検索実行ボタン５６２と、を含む検索画面５６０を表示する（ステップＳ５０６）。
【００５３】
検索キーワード５６１は、経由ページ画面５５０に表示した頻出単語を使用することができる。お気に入り管理部２１２は、利用者に編集可能な状態で検索キーワード５６１を表示する。検索実行ボタン５６２が押下されると、お気に入り管理部２１２は、検索画面５６０に表示されている検索キーワード５６１を使用したＷＥＢ検索をブラウザ２２０に指示する。
【００５４】
また、お気に入り情報画面５４０に表示されている再検索ボタン５４２が押下されると、お気に入り管理部２１２は、検索キーワード５７１と、検索実行ボタン５７２と、を含む検索画面５７０を表示する（ステップＳ５０７）。
【００５５】
検索キーワード５７１は、お気に入り情報画面５４０に表示した頻出単語を使用することができる。お気に入り管理部２１２は、利用者に編集可能な状態で検索キーワード５７１を表示する。検索実行ボタン５７２が押下されると、お気に入り管理部２１２は、検索画面５７０に表示されている検索キーワード５７１を使用したＷＥＢ検索をブラウザ２２０に指示する。
【００５６】
なお、図５に示した選択画面５１０、一覧画面５２０、５３０、お気に入り情報画面５４０、経由ページ画面５５０、検索画面５６０および５７０は、お気に入り管理部２１２が出力して表示する表示画面の一例であって、図５に示す内容に限定する趣旨ではないのは当然である。
【００５７】
また、図５に示した選択画面５１０、一覧画面５２０、５３０、お気に入り情報画面５４０、経由ページ画面５５０、検索画面５６０および５７０は、ブラウザ２２０に表示させてもよいし、専用に設けた表示画面に表示してもよい。
【００５８】
図６は、ブラウザ監視部２１１の動作を示すフローチャートである。
ブラウザ監視部２１１は、起動すると（ステップＳ６００）、一時記憶部２１３に記憶されている内容を全て削除する（ステップＳ６０１）。そして、ブラウザ監視部２１１は、ブラウザ２２０が起動しているか否かを一定間隔で常に判別する（ステップＳ６０２  ＮＯ）。
【００５９】
ブラウザ２２０が起動している場合（ステップＳ６０２  ＹＥＳ）、ブラウザ監視部２１１は、ブラウザ２２０の表示内容が更新されたか否かを一定間隔で常に判別する（ステップＳ６０３  ＮＯ）。
【００６０】
ブラウザ２２０の表示内容が更新された場合（ステップＳ６０３  ＹＥＳ）、ブラウザ監視部２１１は、ブラウザ２２０から、ブラウザ２２０に表示されているＷＥＢページのタイトルおよびＵＲＬを取得する（ステップＳ６０４）。
【００６１】
また、ブラウザ監視部２１１は、ブラウザ２２０から、ブラウザ２２０に表示されているＷＥＢページの内容を取得して頻出単語を抽出する（ステップＳ６０５）。この場合、例えば、ブラウザ監視部２１１は、ＷＥＢページに含まれる文章などは形態素解析などを利用して特定の文字列に分割することができる。そして、ブラウザ監視部２１１は、分割した文字列のうち特定の品詞、例えば、名詞や動詞などについて最頻出単語を抽出することができる。
【００６２】
ブラウザ監視部２１１は、ステップＳ６０４で取得したタイトルおよびＵＲＬ、ステップＳ６０５で抽出した頻出単語、およびブラウザ２２０に表示されているＷＥＢページに含まれるリンク情報を含む経由ページ情報を一時記憶部２１３に記憶する（ステップＳ６０６）。
【００６３】
ブラウザ２２０のお気に入り登録ボタンが押下されなければ（ステップＳ６０７  ＮＯ）、ブラウザ監視部２１１は、ステップＳ６０２−Ｓ６０７の処理を繰り返す。また、ブラウザ２２０のお気に入り登録ボタンが押下されたことを検出すると（ステップＳ６０７  ＹＥＳ）、ブラウザ監視部２１１は、処理をステップＳ６０８に移行する。この場合、ブラウザ監視部２１１は、一時記憶部２１３に記憶されている経由ページ情報を、お気に入り登録ボタンの押下に応じてブラウザ２２０がお気に入り記憶部２１４に記憶したお気に入り情報に関連付けて追加する（ステップＳ６０８）。そして、お気に入り管理部２１２は、処理をステップＳ６０１から開始する。
【００６４】
図７および図８は、お気に入り管理部２１２の動作を示すフローチャートである。
利用者が所定の操作を行なうと（ステップＳ７００）、お気に入り管理部２１２は、お気に入り記憶部２１４からお気に入り情報を取得する（ステップＳ７０１）。そして、取得したお気に入り情報の中に、同じ頻出単語を含むお気に入り情報が複数ない場合（ステップＳ７０２  ＮＯ）、お気に入り管理部２１２は、ステップＳ７０１で取得したお気に入り情報の一覧画面を表示する（ステップＳ７０７）。
【００６５】
また、ステップＳ７０１で取得したお気に入り情報の中に、同じ頻出単語を含むお気に入り情報が複数ある場合（ステップＳ７０２  ＹＥＳ）、お気に入り管理部２１２は、選択画面を表示する（ステップＳ７０３）。そして、お気に入り管理部２１２は、選択画面に表示された一覧表示ボタンまたは頻出単語ボタンが押下されるまで待つ（ステップＳ７０４  ＮＯ、ステップＳ７０５  ＮＯ）。
【００６６】
選択画面に表示した一覧表示ボタンが押下されたことを検出すると（ステップＳ７０４  ＹＥＳ）、お気に入り管理部２１２は、ステップＳ７０１で取得したお気に入り情報の一覧画面を表示する（ステップＳ７０７）。
【００６７】
選択画面に表示した任意の頻出単語ボタンが押下されたことを検出すると（ステップＳ７０４  ＮＯ、ステップＳ７０５  ＹＥＳ）、お気に入り管理部２１２は、処理をステップＳ７０６に移行する。この場合、お気に入り管理部２１２は、ステップＳ７０１で取得したお気に入り情報から、押下を検出した頻出単語ボタンに対応する頻出単語を含むお気に入り情報を抽出する（ステップＳ７０６）。そして、お気に入り管理部２１２は、ステップＳ７０６で抽出したお気に入り情報についての一覧画面を表示する（ステップＳ７０７）。
【００６８】
一覧画面を表示すると、お気に入り管理部２１２は、一覧画面に表示した任意のお気に入り情報が選択されるまで待つ（ステップＳ７０８  ＮＯ）。そして、一覧画面に表示した任意のお気に入り情報が選択されたことを検出すると（ステップＳ７０８  ＹＥＳ）、お気に入り管理部２１２は、一覧画面に表示した内容表示ボタンが押下されるまで待つ（ステップＳ７０９  ＮＯ）。
【００６９】
一覧画面に表示した内容表示ボタンが押下されたことを検出すると（ステップＳ７０９  ＹＥＳ）、お気に入り管理部２１２は、ステップＳ７０８で選択されたお気に入り情報についてのお気に入り情報画面を表示する（ステップＳ７１０）。
【００７０】
お気に入り情報画面に表示した任意の詳細表示ボタンが押下されたことを検出すると（ステップＳ７１１  ＹＥＳ）、お気に入り管理部２１２は、押下された詳細表示ボタンに対応する経由ページ情報についての経由ページ画面を表示する（ステップＳ７１２）。そして、お気に入り管理部２１２は、経由ページ画面に表示した再検索ボタンが押下されるまで待つ（ステップＳ７１３  ＮＯ）。
【００７１】
経由ページ画面に表示した再検索ボタンが押下されたことを検出すると（ステップＳ７１３  ＹＥＳ）、お気に入り管理部２１２は、経由ページ画面に表示した頻出単語を検索キーワードとする検索画面を表示する（ステップＳ７１４）。
【００７２】
一方、お気に入り情報画面に表示した再検索ボタンが押下されたことを検出すると（ステップＳ７１１  ＮＯ、Ｓ７１５  ＹＥＳ）、お気に入り管理部２１２は、お気に入り情報画面に表示した頻出単語を検索キーワードとする検索画面を表示する（ステップＳ７１６）。そして、お気に入り管理部２１２は、検索画面に表示した検索実行ボタンが押下されるまで待つ（ステップＳ７１７  ＮＯ）。
【００７３】
なお、お気に入り管理部２１２は、検索キーワードを利用者が編集可能に表示することができる。これにより、利用者は、新たなキーワードを追加したり、不要なキーワードを削除するなど、検索キーワードを調整することができる。
【００７４】
検索画面に表示した検索実行ボタンが押下されたことを検出すると（ステップＳ８１７  ＹＥＳ）、お気に入り管理部２１２は、検索画面に表示した検索キーワードを使用したＷＥＢ検索をブラウザ２２０に指示する（ステップＳ７１８）。ブラウザ２２０は、ＷＥＢ検索を実行して実行結果を表示する（ステップＳ７１９）。
【００７５】
図９は、情報管理装置２１０の構成例を示す図である。
図９に示す情報管理装置２１０は、ＣＰＵ９０１と、メモリ９０２と、入力装置９０３と、出力装置９０４と、外部記憶装置９０５と、媒体駆動装置９０６と、ネットワーク接続装置９０８と、を備える。そして、これらの装置がバスに接続されて相互にデータの受け渡しが行える構成となっている。
【００７６】
ＣＰＵ９０１は、周辺機器や各種ソフトウェアを実行する他に本実施例に係る情報管理装置２１０を実現するプログラムを実行する演算装置である。
メモリ９０２は、プログラムを実行するために使用される揮発性の記憶装置である。メモリ９０２には、例えば、ＲＡＭなどを使用することができる。
【００７７】
入力装置９０３は、外部からのデータ入力手段である。入力装置９０３には、例えば、キーボードやマウスなどを使用することができる。利用者は、入力装置９０３を使用して、選択画面に表示された一覧表示ボタンの押下や、検索画面に表示された検索キーワードの編集などを行なうことができる。
【００７８】
出力装置９０４は、データ等を表示装置２４０等に出力する装置である。なお、出力装置９０４には、表示装置２４０を含むこともできる。
外部記憶装置９０５は、情報管理装置２１０が動作するために必要なプログラムやデータの他に本実施例に係る情報管理装置２１０を実現するプログラムを記憶する不揮発性の記憶装置である。外部記憶装置９０５には、例えば、磁気ディスク記憶装置などを使用することができる。また、外部記憶装置９０５には、インターネットなどのネットワークを介して接続する記憶装置、いわゆる、クラウド上のオンラインストレージなどを使用することもできる。
【００７９】
媒体駆動装置９０６は、メモリ９０２や外部記憶装置９０５のデータを可搬記憶媒体９０７、例えば、フロッピイディスクやＭＯディスク、ＣＤ−ＲやＤＶＤ−Ｒなどに出力し、または可搬記憶媒体９０７からプログラムやデータ等を読み出す装置である。
【００８０】
ネットワーク接続装置９０８は、ネットワーク９０９に接続する装置である。
なお、メモリ９０２、外部記憶装置９０５および可搬記憶媒体９０７などの情報処理装置に読取り可能な記憶媒体には、非一時的（ｎｏｎ−ｔｒａｎｓｉｔｏｒｙ）な媒体を使用することができる。
【００８１】
また、図９は、情報管理装置２１０の構成の一例を示すものである。したがって、情報管理装置２１０は、必要に応じて、図９に明示しない任意の構成要素を含むことができる。また、情報管理装置２１０は、必要に応じて、図９に示した任意の構成要素を省略することができる。
【００８２】
以上の説明において、ＷＥＢページは、閲覧情報の一例として挙げられる。表示装置２４０は、表示手段の一例として挙げられる。ブラウザ２２０は、閲覧手段の一例として挙げられる。タイトルやＵＲＬは、閲覧情報を特定する特定情報の一例として挙げられる。頻出単語は、閲覧情報に含まれる頻出文字列の一例として挙げられる。経由ページ情報は、経路情報の一例として挙げられる。選択画面５１０は、第１の表示情報の表示例の一例として挙げられる。頻出単語ボタン５１２は、第１の選択手段の一例として挙げられる。一覧画面５３０は、第２の表示情報の表示例の一例として上げられる。
【００８３】
また、取得手段、抽出手段、記憶処理手段、および登録手段は、情報管理装置２１０に備わるＣＰＵ９０１に、所定のプログラムにしたがって、それぞれ、例えば、ステップＳ６０４、Ｓ６０５、Ｓ６０６、およびＳ６０８などの処理を実行させることによって実現できる。同様に、第１の出力手段および第２の出力手段は、情報管理装置２１０に備わるＣＰＵ９０１に、所定のプログラムにしたがって、それぞれ、例えば、ステップＳ７０３、およびＳ７０５−Ｓ７０７などの処理を実行させることによって実現できる。
【００８４】
以上に説明したように、情報管理装置２１０は、利用者がブラウザ２２０を操作してお気に入り情報を登録すると、登録したお気に入り情報までに経由したＷＥＢページについての経由ページ情報を、その登録したお気に入り情報に追加する。そして、情報管理装置２１０は、経由ページ情報に含まれる頻出単語毎にお気に入り情報を分類して閲覧するインタフェース、例えば、図５に示した選択画面５１０、一覧画面５２０および５３０などを提供する。ＷＥＢページに含まれる頻出単語は、そのＷＥＢページの概要や特徴などを表わすので、お気に入り情報が増加しても、利用者は、所望のお気に入り情報を容易に得ることが可能となる。また、利用者は、お気に入り情報をこまめに整理しなくても、所望のお気に入り情報を容易に得ることが可能となる。
【００８５】
情報管理装置２１０は、登録したお気に入り情報までに経由したＷＥＢページを閲覧するインタフェース、例えば、図５に示したお気に入り情報画面５４０などを提供する。情報管理装置２１０が提供するお気に入り情報画面に含まれる経由ページ情報のＵＲＬ、例えば、図５に示したお気に入り情報画面５４０の「ｈｔｔｐ：／／ｂｂｂ」や「ｈｔｔｐ：／／ｄｄｄ」などは、ＨＴＭＬなどを利用してリンク情報として表示される。そのため、利用者は、お気に入り情報までに経由したＷＥＢページを、いつでも参照することが可能となる。
【００８６】
情報管理装置２１０は、お気に入り情報に含まれる頻出単語を検索キーワードとするキーワード検索を実行するインタフェース、例えば、図５に示したお気に入り情報画面５４０、経由ページ画面５５０、検索画面５６０および５７０などを提供する。お気に入り情報に含まれる頻出単語を検索キーワードとするキーワード検索を実行することにより、利用者は、お気に入り情報として登録されたＷＥＢページの内容概要や特徴を含む最新の情報を取得することが可能となる。また、お気に入り情報に登録したＷＥＢページがリンク切れとなった場合でも、リンク切れとなったＷＥＢページの新たなリンク先や、リンク切れとなったＷＥＢページと同じまたは類似する内容を含むＷＥＢページを容易に探し出すことが可能となる。
【００８７】
情報管理装置２１０は、お気に入り情報に含まれる頻出単語を元に自由に編集した検索キーワードを用いたキーワード検索を実行するインタフェース、例えば、図５に示した検索画面５６０および５７０などを提供する。利用者は、検索画面５６０および５７０の検索キーワードを編集してＷＥＢ検索を実行することができるので、お気に入り情報と関連する内容や、お気に入り情報に含まれる一部の情報についてより詳しい内容を含む情報などを取得することが可能となる。
【００８８】
以上の実施例を含む実施形態に関し、さらに以下の付記を開示する。
（付記１）
ネットワーク上で公開されている任意の閲覧情報を取得して表示手段に出力する閲覧手段が第１の閲覧情報を表示したことを検出すると、前記第１の閲覧情報を特定する特定情報を取得する取得手段と、
前記第１の閲覧情報に含まれる頻出文字列を抽出する抽出手段と、
前記第１の閲覧情報を特定する特定情報と、前記第１の閲覧情報に含まれる頻出文字列と、を含む、前記第１の閲覧情報についての経路情報を記憶手段に記憶する記憶処理手段と、
前記閲覧手段が出力している第２の閲覧情報をお気に入り情報として登録する場合、前記第２の閲覧情報を特定する特定情報に、１または２以上の前記経路情報を関連付けて追加する登録手段と、
前記お気に入り情報の経路情報に含まれる頻出文字列毎に、該頻出文字列を含む経路情報を含むお気に入り情報の一覧表示を選択する第１の選択手段を表示する第１の表示情報を前記表示手段に出力する第１の出力手段と、
前記第１の選択手段が選択されると、該選択された第１の選択手段に対応する頻出文字列を含む経路情報を含むお気に入り情報を一覧表示する第２の表示情報を前記表示手段に出力する第２の出力手段と、
を備える情報管理装置。
（付記２）
前記第２の表示情報に含まれる任意のお気に入り情報が選択されたことを検出すると、該選択されたお気に入り情報に含まれる経路情報に含まれる頻出文字列を検索キーワードとする検索実行を選択する第２の選択手段を表示する第３の表示情報を前記表示手段に出力する第３の出力手段、
をさらに備えることを特徴とする付記１に記載の情報管理装置。
（付記３）
前記第３の表示情報は、前記選択されたお気に入り情報に含まれる経路情報毎に該経路情報の詳細情報の表示を選択する第３の選択手段をさらに含み、
前記第３の選択手段が選択されると、該選択された第３の選択手段に対応する経路情報に含まれる頻出文字列を検索キーワードとする検索実行を選択する第４の選択手段を表示する第４の表示情報を前記表示手段に出力する第４の出力手段、
をさらに備えることを特徴とする付記２に記載の情報管理装置。
（付記４）
前記第２の選択手段が選択されると、前記第３の表示情報に含まれる頻出文字列を検索キーワードとして編集可能に表示する第５の表示情報を前記表示手段に出力する第５の出力手段、
をさらに備え、
検索実行の指示を受けると、前記第５の表示情報に含まれる頻出文字列または編集後の頻出文字列を検索キーワードとする検索を行なう、
ことを特徴とする付記２に記載の情報管理装置。
（付記５）
前記第４の選択手段が選択されると、前記第４の表示情報に含まれる頻出文字列を検索キーワードとして編集可能に表示する第５の表示情報を前記表示手段に出力する第５の出力手段、
をさらに備え、
検索実行の指示を受けると、前記第５の表示情報に含まれる頻出文字列または編集後の頻出文字列を検索キーワードとする検索を行なう、
ことを特徴とする付記３に記載の情報管理装置。
（付記６）
前記第３の表示情報は、前記選択されたお気に入り情報に含まれる経路情報の所在を示す位置情報を含み、該位置情報が選択されると、選択された位置情報で特定される閲覧情報を前記表示手段に出力する、
ことを特徴とする付記２に記載の情報管理装置。
（付記７）
前記第２の表示情報は、前記第１の選択手段に対応する頻出文字列を含む経路情報を含むお気に入り情報毎に、該お気に入り情報に登録された第２の閲覧情報を特定する特定情報と、前記お気に入り情報の経路情報に含まれる頻出文字列と、を対応付けて前記表示手段に一覧表示させる表示情報、
であることを特徴とする付記１に記載の情報管理装置。
（付記８）
前記表示手段は、ネットワークを介して前記情報管理装置と通信可能に接続する、
ことを特徴とする付記１に記載の情報管理装置。
（付記９）
前記ブラウザは、ネットワークを介して前記情報管理装置と通信可能に接続する情報処理装置で動作する、
ことを特徴とする付記１に記載の情報管理装置。
（付記１０）
ネットワーク上で公開されている任意の閲覧情報を取得して表示手段に出力する閲覧手段が第１の閲覧情報を表示したことを検出すると、前記第１の閲覧情報を特定する特定情報を取得し、
前記第１の閲覧情報に含まれる頻出文字列を抽出し、
前記第１の閲覧情報を特定する特定情報と、前記第１の閲覧情報に含まれる頻出文字列と、を含む、前記第１の閲覧情報についての経路情報を記憶手段に記憶し、
前記閲覧手段が出力している第２の閲覧情報をお気に入り情報として登録する場合、前記第２の閲覧情報を特定する特定情報に、１または２以上の前記経路情報を関連付けて追加し、
前記お気に入り情報の経路情報に含まれる頻出文字列毎に、該頻出文字列を含む経路情報を含むお気に入り情報の一覧表示を選択する第１の選択手段を表示する第１の表示情報を前記表示手段に出力し、
前記第１の選択手段が選択されると、該選択された第１の選択手段に対応する頻出文字列を含む経路情報を含むお気に入り情報を一覧表示する第２の表示情報を前記表示手段に出力する、
処理を情報処理装置に行なわせる情報管理方法。
（付記１１）
ネットワーク上で公開されている任意の閲覧情報を取得して表示手段に出力する閲覧手段が第１の閲覧情報を表示したことを検出すると、前記第１の閲覧情報を特定する特定情報を取得し、
前記第１の閲覧情報に含まれる頻出文字列を抽出し、
前記第１の閲覧情報を特定する特定情報と、前記第１の閲覧情報に含まれる頻出文字列と、を含む、前記第１の閲覧情報についての経路情報を記憶手段に記憶し、
前記閲覧手段が出力している第２の閲覧情報をお気に入り情報として登録する場合、前記第２の閲覧情報を特定する特定情報に、１または２以上の前記経路情報を関連付けて追加し、
前記お気に入り情報の経路情報に含まれる頻出文字列毎に、該頻出文字列を含む経路情報を含むお気に入り情報の一覧表示を選択する第１の選択手段を表示する第１の表示情報を前記表示手段に出力し、
前記第１の選択手段が選択されると、該選択された第１の選択手段に対応する頻出文字列を含む経路情報を含むお気に入り情報を一覧表示する第２の表示情報を前記表示手段に出力する、
処理を情報処理装置に行なわせる情報管理用プログラム。
【符号の説明】
【００８９】
１００      情報管理装置
１１０      取得手段
１２０      抽出手段
１３０      記憶処理手段
１４０      登録手段
１５０      第１の出力手段
１６０      第２の出力手段
【図１】
0005780182.tif 000002
【図２】
0005780182.tif 000003
【図３】
0005780182.tif 000004
【図４】
0005780182.tif 000005
【図６】
0005780182.tif 000006
【図７】
0005780182.tif 000007
【図８】
0005780182.tif 000008
【図９】
0005780182.tif 000009
【図５】
0005780182.tif 000010